【手続補正書】
【提出日】平成23年10月5日(2011.10.5)
【手続補正１】
【補正対象書類名】特許請求の範囲
【補正対象項目名】全文
【補正方法】変更
【補正の内容】
【特許請求の範囲】
【請求項１】
複数のデータを記録するエリアを有する記録媒体であって、
前記記録媒体は、前記エリアに対応した記録位置を示す物理アドレス情報をさらに有し、
前記物理アドレス情報の一部のビットは前記記録媒体に記録されず、
前記記録媒体に記録されない一部のビット以外の物理アドレス情報は、前記記録媒体に記録されない一部のビットを復元して所定のアドレス情報を得ることができるよう、該記録媒体に記録されない一部のビット以外の物理アドレス情報のビットの値と、並び順と、を変えずに物理ウォブルアドレス情報として前記記録媒体に記録され、
前記記録媒体に記録され、かつ、該記録媒体から検出された物理ウォブルアドレス情報の一部のビットの連続性に基づいて、前記記録媒体に記録されない前記物理アドレス情報の一部のビットが復元される記録媒体。
【請求項２】
複数のデータを記録するエリアを有する記録媒体に対するアドレス検出方法において、
前記エリアに対応した記録位置を示す物理アドレス情報の一部のビットは、前記記録媒体には記録されず、
前記記録媒体に記録されない一部のビット以外の物理アドレス情報は、前記記録媒体に記録されない一部のビットを復元して所定のアドレス情報を得ることができるよう、該記録媒体に記録されない一部のビット以外の物理アドレス情報のビットの値と、並び順と、を変えずに物理ウォブルアドレス情報として前記記録媒体に記録され、
前記記録媒体に記録され、該記録媒体から検出された物理ウォブルアドレス情報の一部のビットの連続性に基づいて、前記記録媒体に記録されない前記物理アドレス情報の一部のビットが復元されるアドレス検出方法。
【請求項３】
複数のデータを記録するエリアを有する記録媒体に情報を記録する記録装置であって、
前記記録媒体の前記エリアに対応した記録位置は物理アドレス情報によって示され、前記物理アドレス情報の一部のビットは前記記録媒体に記録されず、前記記録媒体に記録されない一部のビット以外の物理アドレス情報は、前記記録媒体に記録されない一部のビットを復元して所定のアドレス情報を得ることができるよう、該記録媒体に記録されない一部のビット以外の物理アドレス情報のビットの値と、並び順と、を変えずに物理ウォブルアドレス情報として前記記録媒体に記録されており、
前記記録媒体に記録された前記物理ウォブルアドレス情報を読み取る光ピックアップと、
情報を記録する所定のアドレス位置を特定し、前記所定のアドレス位置に情報を記録する記録回路と、
を備え、
前記記録回路は、前記読み取られた物理ウォブルアドレス情報から前記記録媒体に記録しない一部のビットを復元して得た前記物理アドレス情報に基づいて、前記所定のアドレス位置を特定する記録装置。
【請求項４】
複数のデータを記録するエリアを有する記録媒体から情報を再生する再生装置であって、
前記記録媒体の前記エリアに対応した記録位置は物理アドレス情報によって示され、前記物理アドレス情報の一部のビットは前記記録媒体に記録されず、前記記録媒体に記録されない一部のビット以外の物理アドレス情報は、前記記録媒体に記録されない一部のビットを復元して所定のアドレス情報を得ることができるよう、該記録媒体に記録されない一部のビット以外の物理アドレス情報のビットの値と、並び順と、を変えずに物理ウォブルアドレス情報として前記記録媒体に記録されており、
前記記録媒体に記録された前記物理ウォブルアドレス情報を読み取る光ピックアップと、
情報を再生する所定のアドレス位置を特定し、前記所定のアドレス位置から情報を再生する再生回路と、
を備え、
前記再生回路は、前記読み取られた物理ウォブルアドレス情報から前記記録媒体に記録しない一部のビットを復元して得た前記物理アドレス情報に基づいて、前記所定のアドレス位置を特定する再生装置。
【請求項５】
複数のデータを記録するエリアを有する記録媒体に情報を記録する記録方法であって、
前記記録媒体の前記エリアに対応した記録位置は物理アドレス情報によって示され、前記物理アドレス情報の一部のビットは前記記録媒体に記録されず、前記記録媒体に記録されない一部のビット以外の物理アドレス情報は、前記記録媒体に記録されない一部のビットを復元して所定のアドレス情報を得ることができるよう、該記録媒体に記録されない一部のビット以外の物理アドレス情報のビットの値と、並び順と、を変えずに物理ウォブルアドレス情報として前記記録媒体に記録されており、
前記記録媒体に記録された前記物理ウォブルアドレス情報を読み取るステップと、
情報を記録する所定のアドレス位置を特定し、前記所定のアドレス位置に情報を記録するステップと、
を含み、
前記情報を記録するステップは、前記読み取られた物理ウォブルアドレス情報から前記記録媒体に記録しない一部のビットを復元して得た前記物理アドレス情報に基づいて、前記所定のアドレス位置を特定する記録方法。
【請求項６】
複数のデータを記録するエリアを有する記録媒体から情報を再生する再生方法であって、
前記記録媒体の前記エリアに対応した記録位置は物理アドレス情報によって示され、前記物理アドレス情報の一部のビットは前記記録媒体に記録されず、前記記録媒体に記録されない一部のビット以外の物理アドレス情報は、前記記録媒体に記録されない一部のビットを復元して所定のアドレス情報を得ることができるよう、該記録媒体に記録されない一部のビット以外の物理アドレス情報のビットの値と、並び順と、を変えずに物理ウォブルアドレス情報として前記記録媒体に記録されており、
前記記録媒体に記録された前記物理ウォブルアドレス情報を読み取るステップと、
情報を再生する所定のアドレス位置を特定し、前記所定のアドレス位置から情報を再生するステップと、
を含み、
前記情報を再生するステップは、前記読み取られた物理ウォブルアドレス情報から前記記録媒体に記録しない一部のビットを復元して得た前記物理アドレス情報に基づいて、前記所定のアドレス位置を特定する再生方法。
【請求項７】
複数のデータを記録するエリアを有する第１と第２の記録媒体に対応可能な記録装置が実施する記録方法であり、
前記第１と第２の記録媒体の前記エリアに対応した記録位置は物理アドレス情報によって示され、
前記第１の記録媒体は、前記物理アドレス情報の一部のビットは該第１の記録媒体に記録されず、該第１の記録媒体に記録され、かつ、該記第１の記録媒体から検出された物理ウォブルアドレス情報から、前記第１の記録媒体に記録しない物理アドレス情報の一部のビットを復元して所定のアドレス情報を得ることができるように、前記第１の記録媒体に記録しない一部のビット以外のアドレス情報が記録される記録媒体であり、
前記第２の記録媒体は、該第２の記録媒体に記録され、該第２の記録媒体から検出された物理ウォブルアドレス情報から、所定のアドレス情報を得ることができるようにアドレス情報が記録される記録媒体であり、
記録媒体が装着されたことを検出するステップと、
前記装着された記録媒体が前記第１の記録媒体であるか、前記第２の記録媒体であるかを識別する情報を検出するステップと、
前記の識別された情報に基づき適切なアドレス検出方法を選択するステップと、
検出されたアドレス情報をもとに所定のアドレスにおいて情報の記録を行うステップと、
を実施する記録方法。
【請求項８】
複数のデータを記録するエリアを有する第１と第２の記録媒体に対応可能な再生装置が実施する再生方法であり、
前記第１と第２の記録媒体の前記エリアに対応した記録位置は物理アドレス情報によって示され、
前記第１の記録媒体は、前記物理アドレス情報の一部のビットは該第１の記録媒体に記録されず、該第１の記録媒体に記録され、かつ、該記第１の記録媒体から検出された物理ウォブルアドレス情報から、前記第１の記録媒体に記録しない物理アドレス情報の一部のビットを復元して所定のアドレス情報を得ることができるように、前記第１の記録媒体に記録しない一部のビット以外のアドレス情報が記録される記録媒体であり、
前記第２の記録媒体は、該第２の記録媒体に記録され、該第２の記録媒体から検出された物理ウォブルアドレス情報から、所定のアドレス情報を得ることができるようにアドレス情報が記録される記録媒体であり、
記録媒体が装着されたことを検出するステップと、
前記装着された記録媒体が前記第１の記録媒体であるか、前記第２の記録媒体であるかを識別する情報を検出するステップと、
前記の識別された情報に基づき適切なアドレス検出方法を選択するステップと、
検出されたアドレス情報をもとに所定のアドレスにおいて情報の再生を行うステップと、
を実施する再生方法。